(57)【要約】【課題】  本発明は荷物に貼る通常のラベル片の他に控え用として利用できるラベル部材を残すことが可能であり、且つ、汎用的なラベル貼着装置がそのまま使用できる構成のラベル連続体の提供を目的とする。【解決手段】  本発明は、帯状の剥離紙（３）の剥離面に接着剤層（２）を介して剥離可能に貼着してなるラベル片（１）を多数配列し、前記各ラベル片（１）には個々のラベル片を特定する機械読取可能な識別情報（４１）が付されてなるラベル連続体において、前記帯状の剥離紙（３）は前記ラベル片（１）の配列と同一周期で区画され、区画された剥離紙の剥離面と反対側の剥離紙裏面に前記ラベル片（１）に付された識別情報（４１）と関連付けられた機械読取可能な識別情報を付すことにより、当該剥離紙（３）をラベル片（１）に対する控え票とすることにより上記の課題を解決する。【選択図】  図１
2005283900.tif 000002
【特許請求の範囲】
【請求項１】
帯状の剥離紙の剥離面に接着剤層を介して剥離可能に貼着してなるラベル片を多数配列し、前記各ラベル片には個々のラベル片を特定する機械読取可能な識別情報が付されてなるラベル連続体において、前記帯状の剥離紙は前記ラベル片の配列と同一周期で区画され、区画された各剥離紙の剥離面と反対側の剥離紙裏面に前記ラベル片に付された識別情報と関連付けられた機械読取可能な識別情報を付すことにより、当該剥離紙をラベル片に対する控え票とすることを特徴とするラベル連続体。
【請求項２】
前記帯状の剥離紙の各区画はさらに複数に区画され、区画された夫々の剥離紙裏面に前記ラベル片に付された識別情報と関連付けられた識別情報が付されていることを特徴とする請求項１記載のラベル連続体。
【請求項３】
前記剥離紙の各区画の境界には、該区画を分離可能にする分離予定線が設けられていることを特徴とする請求項１または２何れか記載のラベル連続体。
【請求項４】
前記剥離紙に設けられた分離予定線の一部に重なるようにラベル片が設けられていることを特徴とする請求項３記載のラベル連続体。
【請求項５】
前記ラベル片は、アイランド状に独立した形状であることを特徴とする請求項１から４何れか記載のラベル連続体。
【発明の詳細な説明】
【技術分野】
【０００１】
本発明は、ラベル貼着装置によって荷物等へ貼着可能なラベル片を具備するラベル連続体に関する。
【背景技術】
【０００２】
配送業者は、配送物を管理するために機械読取可能な識別コード（例えば、バーコード、２次元コード、ＯＭＲ（Optical Mark Reader）用の図柄、ＯＣＲ（Optical Character Reader）用の英数文字など）の付された所謂配送伝票を利用している。  配送伝票は依頼主控え票、配送業者控え票（売上票）、取扱店控え票、配送物に貼付する貼付票、受取人に配送物を渡した証としての受領証明書を兼ねる配達票など各種役割を持つ複数の伝票が一体化され、前記各伝票には共通のユニークな識別コードが付されている。そして前記配送伝票に付された識別コードと、コンピュータ上で電子的に管理される顧客情報や配送物運行情報とが紐付けされている。
【０００３】
上記配送伝票はお届け先ごとに配送物の中身が異なるものに用いるのが一般的である。即ち、上記配送伝票は配送物ごとに大きさ、重量、配送物品の種類などの記入事項を伝票に記入し運用する一般的な場合を想定したものである。
【０００４】
他方、週刊誌や広告用パンフレットなどはお届け先が異なっていても同時期に配送する物品の中身は同じである。このような特定な条件下の配送物は上記のような一般的な配送伝票を用いずにバーコードラベルを配送物に貼って配送物の追跡することで配送状況の確認を行うことがなされている。  このような特定な条件下の配送物は例えば図３（ａ）のようなラベル連続体に代表されるバーコードラベルによる配送手段を用いることにより配送コストが安価であることから広く利用されつつある。
【０００５】
図３（ａ）は従来のラベル連続体の正面図を示している。図中、１はラベル連続体を構成するラベル片、３はラベル片１の裏面に塗布された接着剤層を介してラベル片１を剥離可能に貼着支持する剥離紙、４１はラベル片に付された識別コードである。図３（ａ）に示すラベル連続体は、最も単純な構成のもので、所謂バーコードラベルと呼ばれているものである。図３（ａ）を参照してバーコードラベルについて説明する。ラベル片１の表面には、配送業者の名称、電話番号、ロゴなどの固定情報がオフセット印刷方式などにより予め固定印刷されており、識別コード（例えばバーコード）を印字する欄は空白になっている。このようなラベル片を帯状（長尺）の剥離紙上に多数配列させたものを用意し、前記識別コードを印字する欄に、コンピュータ上で管理された配送情報と紐付けされる識別情報に基づくバーコードをプリンター装置で印字する。（例えば特許文献１参照）
なお、図３（ａ）に示したバーコードラベルの形状は角丸の長方形状で、剥離紙３上にアイランド状に形成されている。このようなアイランド状にするためにはラベル基材に角丸の長方形状のスリット（切れ目）加工を施し、ラベル片１となる部分以外の不要部分を引き剥がして除去（粕上げ）する。
【０００６】
上記のようにして得られた角丸の長方形状のバーコードラベルを剥離紙から剥がして配送物に貼る。手貼りの場合もあるが、図４のようなラベル貼着装置を用いてラベル片１を荷物５０に貼り付ける。      
ここで、図４を用いてラベル貼着装置について説明する。ラベル貼着装置にはハンドラベラーと呼ばれる小型で簡易的なものから印字機構も備えた大規模で高速処理可能な自動ラベリング装置まで様々なものがあるが、剥離紙からラベル片を剥がして荷物に貼る原理は全て共通である。  まずラベル片１を帯状（長尺）の剥離紙３上に多数配列させたロール状のラベルロール（ラベル連続体）をラベルロール部３０にセットする。ラベルロール部３０より多数のラベル片１を流れ方向に配列した剥離紙３（ラベル連続体）は折返し部３１により流れ方向が図４矢印Ｋの方向に変えられる。このときラベル片１のラベル基材の剛性を剥離紙の剛性よりも強くしておくことでラベル片１は剥離紙３から接着剤層とともに剥離し、図４矢印Ｌに沿って荷物５０に貼り付けられる。
【０００７】
【特許文献１】特開２００１−２７２９１４号公報    特許文献１には「メール便」と呼ばれる宅配サービスに用いられる宛名ラベル（バーコードラベル）の構成ならびにその発行システムが開示されている。
【発明の開示】
【発明が解決しようとする課題】
【０００８】
しかしながら特許文献１に見られるような「メール便」と呼ばれるような仕組みで配送される配送物であっても配送システムは上記配送伝票を用いた一般の配送物と同じ配送システムを用いており、バーコード体系も同じである。従って、配送業者側でバーコードラベル（図３（ａ）に示すラベル片（１））に対応する控え用紙を別途用意し管理している。当該控え用紙へは配送物に貼付したバーコードラベルに関する情報を転記するために転記ミスが生ずるという配送分野特有の課題がある。
【０００９】
そこで図３（ｂ）、（ｃ）のようにバーコードラベルとなるラベル片１（主ラベル）の他に、配送会社の控え用のラベル片２０、依頼主控え用のラベル片２１を設け、ラベル片１（主ラベル）への印字の際に同時に前記控え用ラベル片２０、２１に対しても識別コードを印字することが考えられる。図３（ｂ）はラベル片１（主ラベル）の一辺に連設するように控えラベル片２０、２１を設けた例である。図３（ｃ）はラベル片１（主ラベル）の左右にそれぞれ連設する控えラベル片２０、２１を設けた例である。図３（ｂ）、（ｃ）のようなバーコードラベルにおいては、控え用ラベル片２０、２１もラベル貼着装置で荷物に貼られてしまうという課題がある。
【００１０】
ラベル貼着装置を工夫して別途用意する控え用紙に控え用ラベル片２０、２１を選択的に貼ることも考えられるが一般的なラベル貼着装置が使用できないので、特別な機構を備えた特殊仕様のラベル貼着装置を用意することになり、ラベル貼着装置がコスト高になってしまうという課題がある。
【００１１】
そこで本発明は、荷物に貼る通常のラベル片（バーコードラベル）の他に控え票として利用できる部材を残すことが可能であり、且つ、汎用的なラベル貼着装置がそのまま使用できる構成のラベル連続体の提供を目的とする。
【課題を解決するための手段】
【００１２】
本発明のラベル連続体は、以下の各態様に記載の手段により上記の課題を解決するものである。
【００１３】
本発明の第１の態様は、帯状の剥離紙（３）の剥離面に接着剤層（２）を介して剥離可能に貼着してなるラベル片（１）を多数配列し、前記各ラベル片（１）には個々のラベル片を特定する機械読取可能な識別情報（４１）が付されてなるラベル連続体において、前記帯状の剥離紙（３）は前記ラベル片（１）の配列と同一周期で区画され、区画された剥離紙の剥離面と反対側の剥離紙裏面に前記ラベル片（１）に付された識別情報（４１）と関連付けられた機械読取可能な識別情報を付すことにより、当該剥離紙（３）をラベル片（１）に対する控え票とすることを特徴とするものである。
【００１４】
本発明の第２の態様は、前記第１の態様において、前記帯状の剥離紙（３）の各区画はさらに複数に区画され、区画された夫々の剥離紙（１０、２０）裏面にラベル片に付された識別情報（４１）と関連付けられた識別情報（４２、４３）が付されていることを特徴とするものである。
【００１５】
本発明の第３の態様は、前記第１または２何れかの態様において、前記剥離紙の各区画の境界には、該区画を分離可能にするミシン目に代表される分離予定線（７）が設けられていることを特徴とするものである。
【００１６】
本発明の第４の態様は、前記第３の態様において、前記剥離紙に設けられた分離予定線（７）の一部に重なるようにラベル片（１）が設けられていることを特徴とするものである。
【００１７】
本発明の第５の態様は、前記第１から４何れかの態様において、前記ラベル片（１）は、アイランド状に独立した形状であることを特徴とするものである。
【発明の効果】
【００１８】
（１）本発明の第1の態様によれば、汎用的なラベル貼着装置をそのまま使用してラベル片を荷物に貼ることで、当該ラベル片と関連付けられた識別コードの付された剥離紙が残るので、従来不要部として廃棄されていた剥離紙がそのまま控え票として利用できるので資源が有効活用されるという効果がある。
【００１９】
（２）本発明の第2の態様によれば、個々のラベル片に対応する剥離紙の区画が複数になるので、一つのラベル片に対して複数の控え票が得られるという効果がある。
【００２０】
（３）本発明の第３の態様によれば、剥離紙の各区画を分離予定線から分離可能なので、分離することで独立した控え票として利用できるという効果がある。例えば、当該ラベル片に対応する区画をさらに二つに区分することで、一方の控え票を配送業者用として、他方の控え票を依頼主控え票として利用可能になる。
【００２１】
（４）本発明の第4の態様によれば、分離予定線の一部と重なるようにラベル片が配置されるので、ラベル貼着装置でラベル片を配送物に貼着する際に、剥離紙が分離予定線の作用により一層曲がり易くなる。したがって、ラベル貼着装置に対応し得る剥離紙の厚みの範囲が広がるという効果がある。
【００２２】
（５）本発明の第５の態様によれば、ラベルがアイランド状に独立しているので、ラベル貼着装置でラベル片を配送物に貼着する際に、ラベル片が剥離紙から一層剥がれ易くなるという効果がある。
【発明を実施するための最良の形態】
【００２３】
以下、本発明の実施の形態について図面を参照して説明する。
図１（ａ）は本発明によるラベル連続体の形態を示す正面図、図１（ｂ）は図１（ａ）の裏面図、図２は図１（ａ）のＡ−Ａ矢視断面図である。  図中、１はラベル片、２はラベル片１の裏面に形成した接着剤層、３は帯状の剥離紙、４１はラベル片１に印字された識別コード、４２、４３は剥離紙３の裏面に印字された識別コード、７は剥離紙３に形成された分離予定線である。
【００２４】
本発明のラベル連続体は、ラベル連続体を構成する各ラベル片１は、帯状（長尺）の剥離紙３の表面に形成されている剥離面に対して各ラベル片の裏面に設けた接着剤層２を介して等間隔に多数配列された形態のものである。ラベル片１は帯状の剥離紙３の剥離面に接着剤層２を介して剥離可能に貼着されているので、ラベル片１を帯状の剥離紙３より引き剥がし、引き剥がしたラベル片１は接着剤層２を介して荷物などの対象物に貼り付けて使用される。
【００２５】
本発明のラベル連続体のラベル片を荷物に貼付する際は、図4に示すような一般的なラベル貼着装置が使用可能である。この場合、本発明のラベル連続体も一般的なラベル連続体と同じくラベル貼着装置のラベルロール部３０に装着し、ラベルロール部３０よりラベル片が多数配列された帯状の剥離紙３をフィードし、フィードされた帯状の剥離紙３は折り返し部３１によりフィード方向が図４矢印Ｋの方向に変えられ、これにより帯状の剥離紙３より各ラベル片１が剥離して荷物５０に貼り付けられることになる。
【００２６】
本発明のラベル連続体を構成する帯状の剥離紙３は前記ラベル片１の配列と同一周期で区画されている。前記剥離紙３の区画された境界部には、前記剥離紙３の各区画を分離可能にする分離予定線７が設けられている。前記分離予定線７として最も代表的な態様はミシン目である。分離予定線７としてはミシン目の他、例えばハーフカット、筋押し線でもよい。
【００２７】
図1（ａ）（ｂ）に示すように、本発明に係る帯状の剥離紙３はラベル片１の配列と同一周期で区画されており、さらに分離予定線７により少なくとも二つの領域に区画され、区画された剥離紙４１、４２が形成される。これによりラベル片１の少なくとも一部は分離予定線７と重なることになる。このような構成の本発明のラベル連続体をラベル貼着装置に装填し、ラベル片１を配送物に貼着すると、帯状の剥離紙３が分離予定線７の作用により一層曲がり易くなり、他方ラベル片１自体は曲がり難いので、当該ラベル片１は剥離紙から剥がれ易くなる。即ち、本発明のラベル連続体は分離予定線７をミシン目、ハーフカット、筋押し線の何れかの態様により分離予定線７を形成することによりラベル貼着装置への機械適性が向上するという効果がある。
【００２８】
特に分離予定線７がミシン目の場合は、区画された各剥離紙１０、２０の切断分離が容易に行える。帯状の剥離紙３を区画に合わせて分離せず、多数の控え片を連設した状態で保管する場合は、ミシン目を設けずに単に印刷で区画を示すようにしたり、筋押し線を設けるようにしてもよい。
【００２９】
帯状の剥離紙３上に多数配列された各ラベル片１には、当該ラベル片を特定する機械読取可能な識別情報４１が付されている。図1（ａ）（ｂ）に示す例においては、帯状の剥離紙３の各区画はさらに二つに区画したものを示している。区画された剥離紙１０、２０のそれぞれの剥離面と反対側の面には前記ラベル片１の表面に付された識別情報４１と関連付けられた識別情報４２、４３を印字した例を示している。即ち、区画された剥離紙１０の剥離面と反対面には識別情報４２が、区画された剥離紙２０の剥離面と反対面には識別情報４３が付されている。図1（ａ）に図示する例においては、ラベル片１の表面には識別情報４１の例としてバーコードが付されている。また図１（ｂ）には、区画された剥離紙１０の剥離面と反対面には識別情報４２をバーコードで形成した例が、区画された剥離紙２０の剥離面と反対面には識別情報４３をＯＣＲ用の英数字で形成した例が示されている。帯状の剥離紙３に各区画にミシン目により分離予定線７を形成した例を示している。
【００３０】
以上のように、ラベル片１に対応する区画された剥離紙をさらに二つの区画に区分することで、例えば、区画された剥離紙４２を配送業者の控え票用として、区画された剥離紙４３を依頼主控え票として利用できる。
【００３１】
なお、上記ラベル片１に付された識別情報１（バーコード）、区画された剥離紙１０の剥離面と反対面には識別情報４２（バーコード）、区画された剥離紙２０の剥離面と反対面には識別情報４３（ＯＣＲ用の英数字）は、コンピュータ上で電子的に管理される顧客情報や配送物運行情報に基づき情報処理したデータをプリンター装置で印字形成したものである。
【００３２】
図１（ａ）に示すように本発明に係るラベル片１の好ましい形態の一例として角丸形のアイランド状に独立した形状のものを示した。角丸形状にする理由は、角部を丸くすることで荷物に貼られたラベル片１を一層剥がれ難くするためである。  また、アイランド状にする理由は、ラベル貼着装置で貼着する際にラベル貼着装置の折返し部３１においてラベル片１を剥離紙３から剥がれ易くするためである。
【００３３】
（変形例）
本発明は以上説明した実施の形態に限定されるものではなく種々の変形が可能であり、それらも本発明の均等の範囲内である。
【００３４】
（１）例えば、ラベル片１はラベル基材の不要部を剥離紙から取り除きアイランド状のものとしたが、アイランド状にせずに、スリット加工により不要部を出さない形状のものでもよい。
【００３５】
（２）例えば、ラベル片１に対応する剥離紙を分離予定線７により区画された剥離紙４２、４３の二つにする例を示したが、三つあるいはそれ以上に区画してもよい。
【図面の簡単な説明】
【００３６】
【図１】（ａ）は本発明によるラベル連続体の正面図、同図（ｂ）は同図（ａ）の裏面図である。
【図２】は図１（ａ）のＡ−Ａ矢視断面図である。
【図３】（ａ）（ｂ）（ｃ）は従来のラベル連続体を示す正面図である。
【図４】はラベル連続体を荷物に貼着するラベル貼着装置の概念図である。
【符号の説明】
【００３７】
１  ラベル片
２  接着剤層
３  帯状の剥離紙
７  分離予定線
１０、１１  区画された剥離紙
３０  ラベルロール部
３１  折返し部
４１、４２、４３  識別コード
５０  荷物
【図１】
2005283900.tif 000003
【図２】
2005283900.tif 000004
【図３】
2005283900.tif 000005
【図４】
2005283900.tif 000006